(57)【特許請求の範囲】
【請求項１】
バッテリの電力によって動作する回路が接続される端子ボルトを有する回路端子と、
前記バッテリの外表面に対面して配置される絶縁樹脂製の壁を有するハウジングと、を備え、
前記ハウジングの前記壁における前記外表面側から当該外表面に向かって前記端子ボルトの先端が突出するように、前記ハウジングにおける前記壁に、前記端子ボルトの頭部が埋設された状態で前記回路端子が設けられ、
前記ハウジングに前記回路端子が設けられた状態で前記バッテリに取り付けられることを特徴とする端子台。
【請求項２】
前記ハウジングが、前記壁から、前記端子ボルトの突出方向と同じ方向に突出したアーム部を有し、
前記アーム部に、前記回路端子と電気的に接続され、且つ前記バッテリの電力が供給されるとともに前記バッテリに固定される給電端子が設けられていることを特徴とする請求項１記載の端子台。
【請求項３】
前記端子ボルトが、前記回路から延びる端子付き電線の端部における端子が固定される部位であり、
前記壁の前記外表面側には、所定方向に開口して前記端子ボルトをＵ字状に囲むように前記外表面側へと張り出して、当該端子ボルトに前記端子が固定された前記端子付き電線を前記所定方向へと案内する案内壁が形成されていることを特徴とする請求項１又は２記載の端子台。
【発明の詳細な説明】
【技術分野】
【０００１】
本発明は、バッテリの電力を回路に供給するための端子台に関する。
【背景技術】
【０００２】
従来、車両に搭載されるバッテリの電力を、車両内の回路に供給するための端子台が知られている（例えば、特許文献１参照）。図４には、このような従来の端子台の一例が斜視図に示されている。図４に示されている端子台５は、バッテリ６から、バッテリ端子７を介して供給される電力を、不図示の回路に供給するためのものである。
【０００３】
バッテリ６の上面６１には電極ポスト６２が突出して設けられており、この電極ポスト６２にバッテリ端子７が固定される。バッテリ端子７は、概ね直方体形状に形成されており、一端に電極ポスト６２が挿通する挿通孔７１が設けられ、他端に端子台５を固定するためのボルト７２が立設されている。挿通孔７１は不図示の機構によって縮径されるようになっており、電極ポスト６２が挿通した状態で挿通孔７１を縮径することにより、電極ポスト６２にバッテリ端子７が固定される。
【０００４】
端子台５は、回路端子５１と給電端子５２とを備えている。回路端子５１には、回路が接続される端子ボルト５１１が立設されている。この端子ボルト５１１には、例えば回路から延びる端子付き電線の丸端子等がナット締めにより固定される。給電端子５２には、バッテリ端子７のボルト７２が貫通する貫通孔５２１が設けられている。この貫通孔５２１を貫通したボルト７２にナット７３が締め付けられることで、給電端子５２がバッテリ端子７に固定される。この給電端子５２に、バッテリ端子７を介して電極ポスト６２からの電力が供給される。
【０００５】
また、回路端子５１と給電端子５２は可溶体５３によって電気的に接続されている。閾値以上の電流が流れるとこの可溶体５３が溶断することにより、回路に過剰な電流が流れることが回避される。そして、回路端子５１と給電端子５２と可溶体５３とからなる構造物が絶縁樹脂のハウジング５４に、各端子の接続面が露出され、窓５４１の内側に可溶体５３が位置するように設けられている。窓５４１には透明カバー５５が被せられており、可溶体５３の溶断が、この透明カバー５５越しに視認される。
【０００６】
そして、多くの場合、バッテリ端子７を介してバッテリ６に固定された端子台５には、図５に示されているように、絶縁キャップ８が被せられる。この絶縁キャップ８は、回路端子５１、給電端子５２、バッテリ端子７、及び電極ポスト６２を覆うように被せられ、これら各部分への接触等を防止する役割を担っている。
【先行技術文献】
【特許文献】
【０００７】
【特許文献１】特開２０１２−３８６４２号公報
【発明の概要】
【発明が解決しようとする課題】
【０００８】
ここで、近年では、車両の省スペース化が進み、搭載されるバッテリの周囲における空間的な余裕が減りつつあり、バッテリの電極ポストの近傍で空間を占有しがちな絶縁キャップの小型化が求められている。
【０００９】
従って、本発明は、上記のような問題点に着目し、絶縁キャップを小型化することができる端子台を提供することを目的とする。
【課題を解決するための手段】
【００１０】
上記課題を解決するために、請求項１に記載の発明は、バッテリの電力によって動作する回路が接続される端子ボルトを有する回路端子と、前記バッテリの外表面に対面して配置される絶縁樹脂製の壁を有するハウジングと、を備え、前記ハウジングの前記壁における前記外表面側から当該外表面に向かって前記端子ボルトの先端が突出するように、前記ハウジングにおける前記壁に、前記端子ボルトの頭部が埋設された状態で前記回路端子が設けられ、前記ハウジングに前記回路端子が設けられた状態で前記バッテリに取り付けられることを特徴とする端子台となっている。
【００１１】
また、請求項２に記載の発明は、請求項１記載の端子台において、前記ハウジングが、前記壁から、前記端子ボルトの突出方向と同じ方向に突出したアーム部を有し、前記アーム部に、前記回路端子と電気的に接続され、且つ前記バッテリの電力が供給されるとともに前記バッテリに固定される給電端子が設けられていることを特徴とする。
また、請求項３に記載の発明は、請求項１又は２に記載の端子台において、前記端子ボルトが、前記回路から延びる端子付き電線の端部における端子が固定される部位であり、前記壁の前記外表面側には、前記端子ボルトから見て前記アーム部側とは異なる方向に開口して前記端子ボルトをＵ字状に囲むように前記外表面側へと張り出して、当該端子ボルトに前記端子が固定された前記端子付き電線を前記異なる方向へと案内する案内壁が形成されていることを特徴とする。
【発明の効果】
【００１２】
請求項１に記載の発明によれば、バッテリの外表面に向かって端子ボルトが突出するように、絶縁樹脂製の壁の前記外表面側に回路端子が設けられている。このため、バッテリに取り付けられた端子台は、端子ボルトを含む回路端子がハウジングにおける絶縁樹脂製の壁で隠された状態となる。このため、バッテリに取り付けられた端子台に絶縁キャップを被せるに当たっては、回路端子の周辺を覆う必要がなく、その分絶縁キャップを小型化することができる。
【００１３】
請求項２に記載の発明によれば、端子ボルトの突出方向と同じ方向に突出したアーム部に、当該端子台をバッテリに固定する役割を担う給電端子が設けられている。このようなアーム部に給電端子を設けることで、ハウジングにおいて回路端子が設けられている壁と、バッテリの外表面との間に、回路端子の端子ボルトが収まる空間を確保することができる。これにより、端子台をバッテリに安定的に固定することができる。
【図面の簡単な説明】
【００１４】
【図１】本発明の一実施形態の端子台を示す斜視図である。
【図２】図１に示されている端子台を、この端子台が取り付けられるバッテリ側から見た斜視図である。
【図３】バッテリに取り付けられた図１及び図２に示されている端子台に、絶縁キャップが被せられる様子を示す図である。
【図４】従来の端子台の一例を示す斜視図である。
【図５】バッテリに取り付けられた図４に示されている端子台に、絶縁キャップが被せられる様子を示す図である。
【発明を実施するための形態】
【００１５】
本発明の一実施形態の端子台について図１〜図３を参照して説明する。図１は、本発明の一実施形態の端子台を示す斜視図であり、図２は、図１に示されている端子台を、この端子台が取り付けられるバッテリ側から見た斜視図である。図３は、バッテリに取り付けられた図１及び図２に示されている端子台に、絶縁キャップが被せられる様子を示す図である。
【００１６】
本実施形態の端子台１は、バッテリ２から、バッテリ端子３を介して供給される電力を、不図示の回路に供給するためのものである。
【００１７】
バッテリ２の上面２１には電極ポスト２２が突出して設けられており、この電極ポスト２２にバッテリ端子３が固定される。バッテリ端子３は、概ね直方体形状に形成されており、一端に電極ポスト２２が挿通する挿通孔３１が設けられ、他端に端子台１を固定するためのボルト３２が立設されている。挿通孔３１は不図示の機構によって縮径されるようになっており、電極ポスト２２が挿通した状態で挿通孔３１を縮径することにより、電極ポスト２２にバッテリ端子３が固定される。また、このバッテリ端子３は、バッテリ２において上面２１と直交する側面２３と、その上面２１との境界縁２４に向かって延びるように電極ポスト２２に固定される。
【００１８】
端子台１は、回路端子１１と給電端子１２とを備えている。回路端子１１は、導電性金属で矩形板状に形成され、その中央に、回路が接続される端子ボルト１１１が立設されている。この端子ボルト１１１には、例えば回路から延びる端子付き電線の丸端子等がナット締めにより固定される。給電端子１２は、一方が長尺で他方が短尺のＬ字状に導電性金属の帯板が折り曲げられて形成されている。そして、長尺側の部分に、バッテリ端子３のボルト３２が貫通する貫通孔１２１が設けられている。この貫通孔１２１を貫通したボルト３２にナット３３が締め付けられることで、給電端子１２がバッテリ端子３に固定される。この給電端子１２に、バッテリ端子３を介して電極ポスト２２からの電力が供給される。
【００１９】
また、回路端子１１の端縁と、給電端子１２における短尺側の端縁とは可溶体１３によって電気的に接続されている。閾値以上の電流が流れるとこの可溶体１３が溶断することにより、回路に過剰な電流が流れることが回避される。そして、回路端子１１と給電端子１２と可溶体１３とからなる構造物が絶縁樹脂のハウジング１４に、各端子の接続面が露出され、窓１４１の内側に可溶体１３が位置するように設けられている。
【００２０】
ここで、絶縁樹脂のハウジング１４は、回路端子１１と給電端子１２と可溶体１３とからなる概ねＬ字状の構造物を覆うようにＬ字状に形成される。回路端子１１、給電端子１２における短尺側、及び可溶体を覆う部分が長尺に形成され、この部分に可溶体１３の溶断視認用の窓１４１が設けられ、透明カバー１５が被せられる。端子台１がバッテリ端子３を介してバッテリ２に固定されたときには、ハウジング１４におけるこの長尺側の部分が、バッテリ２の側面２３（外表面）に対面して配置される壁１４２となる。そして、図３に示されているように、端子台１がバッテリ２に固定されたときに、バッテリ２の側面２３に向かって端子ボルト１１１が突出するように、上記の壁１４２において、バッテリ２の側面２３と対面する側に回路端子１１が設けられている。また、この壁１４２には、下方に開口して端子ボルト１１１をＵ字状に囲むように案内壁１４３が設けられている。案内壁１４３は、端子ボルト１１１に固定される不図示の電線を下方に案内する。
【００２１】
また、ハウジング１４における短尺側の部分は、上記の壁１４２から、端子ボルト１１１の突出方向と同じ方向に突出したアーム部１４４となる。アーム部１４４には、先端側からＵ字状の切込み１４４ａが設けられている。そして、このＵ字状の切込み１４４ａから、給電端子１２の長尺側における貫通孔１２１の周辺が露出するように、給電端子１２がアーム部１４４に設けられている。端子台１は、アーム部１４４の切込み１４４ａから露出している給電端子１２が、バッテリ２上のバッテリ端子３に重なり、貫通孔１２１にバッテリ端子３のボルト３２が貫通するように配置される。そして、上述したように、この貫通孔１２１を貫通したボルト３２にナット３３が締め付けられることで、端子台１が、バッテリ２に、バッテリ端子３を介して固定される。
【００２２】
そして、バッテリ端子３を介してバッテリ２に固定された端子台１には、図３に示されているように、絶縁キャップ４が被せられる。
【００２３】
ここで、本実施形態の端子台１によれば、バッテリ２の側面２３に向かって端子ボルト１１１が突出するように、絶縁樹脂製の壁１４２において、バッテリ２の側面２３と対面する側に回路端子１１が設けられている。このため、バッテリ２に取り付けられた端子台１は、端子ボルト１１１を含む回路端子１１がハウジング１４における絶縁樹脂製の壁１４２で隠された状態となる。このため、バッテリ２に取り付けられた端子台１に絶縁キャップ４を被せるに当たっては、回路端子１１の周辺を覆う必要がなく、この絶縁キャップ４は、次のように被せられる。即ち、絶縁キャップ４は、給電端子１２、バッテリ端子３、及び電極ポスト２２を覆うように被せられ、これら各部分への接触等を防止すれば足りる。これを受けて、本実施形態では、絶縁キャップ４の小型化が図られている。
【００２４】
また、本実施形態の端子台１によれば、端子ボルト１１１の突出方向と同じ方向に突出したアーム部１４４に、当該端子台１をバッテリ２に固定する役割を担う給電端子１２が設けられている。このようなアーム部１に給電端子１２を設けることで、ハウジング１４において回路端子１１が設けられている壁１４２と、バッテリ２の側面２３との間に、回路端子１１の端子ボルト１１１が収まる空間を確保することができる。これにより、端子台１をバッテリ２に安定的に固定することができる。
【００２５】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の端子台の構成を具備する限り、勿論、本発明の範疇に含まれるものである。
【００２６】
例えば、上述した実施形態では、本発明にいう端子台の一例として、バッテリ２からの電力を可溶体１３を介して回路に供給するいわゆるヒュージブルリンクとしての端子台１が例示されている。しかしながら、本発明にいう端子台は、これに限るものではなく、例えば可溶体を介すことなく回路に電力を供給する単純な端子台であってもよい。
【００２７】
また、上述した実施形態では、本発明にいう端子台の一例として、全体としてＬ字状に形成され、Ｌ字の一方の腕がバッテリ２の上面２１の上方に張り出し、他方の腕がバッテリ２の側面２３に対面する端子台１が例示されている。しかしながら、本発明にいう端子台は、これに限るものではない。本発明にいう端子台は、例えば全体として平板状に形成されて、バッテリにおいて電極ポストの立設面と平行に配置され、端子ボルトがその立設面に向かって突出するように回路端子が設けられたもの等であってもよい。
【００２８】
また、上述した実施形態では、本発明にいう端子台の一例として、回路端子１１が１つだけ設けられた形態の端子台１が例示されている。しかしながら、本発明にいう端子台は、これに限るものではなく、バッテリの外表面に向かって突出した端子ボルトを有する回路端子が複数設けられたもの等であってもよい。
【符号の説明】
【００２９】
１    端子台
２    バッテリ
３    バッテリ端子
１１  回路端子
１２  給電端子
１３  可溶体
１４  ハウジング
２１  上面
２２  電極ポスト
２３  側面（外表面）
１１１    端子ボルト
１４１    窓
１４２    壁
１４３    案内壁
１４４    アーム部
【図１】
0006656819.tif 000002
【図２】
0006656819.tif 000003
【図３】
0006656819.tif 000004
【図４】
0006656819.tif 000005
【図５】
0006656819.tif 000006